(57)【要約】【課題】  容器を付けた場合には、切った野菜を容器に収納する事ができ、又、容器を外して使った際は、皿やまな板などの落としたい位置に確実に切った野菜を落とす事ができる野菜カッターを提供する。［解決手段］  上記課題を解決するために、本発明は、容器と、そして表面に刃を形成し、更に裏面に貫通する孔を有した板状部材と、そして板状部材を乗せる台座とで構成されている野菜カッターにおいて、台座は板状部材を乗せた状態で板状部材に形成された孔の下方が貫通しており、更に、台座には脚部と把持部が形成されている野菜カッターを提供する。【選択図】  図１
2005081539.tif 000002
【特許請求の範囲】
【請求項１】
容器と、そして表面に刃を形成し、更に裏面に貫通する孔を有した板状部材と、そして該板状部材を乗せる台座とで構成されている野菜カッターにおいて、台座は板状部材を乗せた状態で板状部材に形成された孔の下方が貫通しており、更に、台座には脚部と把持部が形成されている事を特徴とする野菜カッター。
【請求項２】
台座の下方に容器を嵌合させる手段を有する請求項１に記載の野菜カッター。
【請求項３】
台座下部に、容器を嵌め合わせるための凹部又は凸部を形成した請求項２に記載の野菜カッター。
【請求項４】
把持部を斜め下方に向けて形成した請求項１〜３いずれかに記載の野菜カッター。
【請求項５】
脚部を少なくとも２本の棒状又は板状部材で相互に間隔を有して形成した請求項１〜４のいずれかに記載の野菜カッター。
【請求項６】
脚部を湾曲又は屈曲した板状部材で形成した請求項１〜５のいずれかに記載の野菜カッター。
【発明の詳細な説明】
【発明の詳細な説明】
【技術分野】
【０００１】  本発明は野菜や果物を切ったり、削ったり、擦ったりする野菜カッターに関する。
【背景技術】
【０００２】  従来、この種のカッターは刃の付いた板状部材を、板状部材の大きさとほぼ同じ容器の上部に嵌め込み、板状部材の表面に取り付けられた刃によって野菜などを薄切りし、又は削り、又は擦り、処理した野菜は刃の脇に形成された孔から容器内に落ちて溜められるものであった。そのため、皿に盛り付ける際は容器から出さなければならなかった。容器を嵌めずに、刃の付いた板状部材だけを使用して切った場合は、板状部材を皿の上縁に乗せて切るか、又は皿から適当な距離を保って手で保持して切るかのどちらかであった。皿の上縁に乗せて切ると手の動きに連動して皿が動いたり、ひっくり返ったりする事があり、又野菜を薄切りする場合などには、皿との間隔が無いために切る量が制限されて、多く切ることができず、又、離して切ると保持する手がぶれてしまい、切った物が皿の外に飛散してしまう不具合が生ずる事があった。
【発明が解決しようとする課題】
【０００３】  本発明は上記の問題を解決するもので、容器を付けた場合には、切った野菜を容器に収納する事ができ、又、容器を外して使った場合には、皿やまな板などの落としたい位置に確実に切った野菜を落とす事ができることを課題とする。
【課題を解決するための手段】
【０００４】  上記課題を解決するために、本発明の第一の態様は、容器と、そして表面に刃を形成し、更に裏面に貫通する孔を有した板状部材と、そして該板状部材を乗せる台座で構成されている野菜カッターにおいて、台座は板状部材を乗せた状態で板状部材に形成されている孔の下方が貫通しており、更に、台座には脚部と把持部が形成されている事を特徴とする野菜カッターを提供する。
【発明を実施するための最良の形態】
【０００５】  以下、図面を参照しながら本発明の各種態様に係る野菜カッターに関して説明する。以下の説明は、本発明の技術思想を具現化する幾つかの具体例を説明するものであり、本発明は以下の説明に限定されるものではない。【０００６】  図１は本発明の野菜カッターを示す斜視図である。図１に示す野菜カッターは容器１と、刃２を取り付けて更に孔３を開けた板状部材４と、該板状部材４が乗る台座５と、その片側下部に形成された脚部６と、対向する側に形成された把持部７とで構成されている。これを使用する際には、野菜を刃２の付いた板状部材４の上面で刃２に当てながら前後に動かす。切られた野菜は孔３を通って下方に落ちる。この際、孔３の下の台座５も下方に貫通しているので、切られた野菜は更にその下方に落ちる事となる。本発明の野菜カッターはここから二通りの使い方が可能となる。一つは容器１に切った物を入れる方法である。この場合には図１−ａで示すような形態で、容器１を台座４の下部に配置して、切った物を入れる方法である。これは従来の方法と同じで、切った物を容器の中から取り出す方法である。もう一つの方法は、図１−ｂで示すように、容器１を使わずに直接、皿やまな板の上で切る方法である。この場合、従来の方法と異なるのは脚部６を有している点である。この脚部６を有することにより台座５を安定させて置く事ができるため、一定した箇所に切った物を落とす事ができる事となるのである。その際、反対側端部に形成されている把持部７を持つ必要がある。把持部７を持つ事により脚部６の安定した設置が可能となるのである。又、脚部６によって高さを得る事ができるため、従来品のように直接皿の縁に接触させる場合に比べ多くの量を皿の上に盛ることができる事となる。実施上、脚部６は台座の下側であれば位置は任意である。又、脚部６の高さは台座４の底部から脚部６の底部まで３ｃｍ以上である事が好ましい。又、脚部６は台座５に対し直交している必要はない。又、曲がっていても構わない。他の部分に就いて云えば、容器１と板状部材４と台座５の寸法は幅が８〜１０ｃｍ程度、長さは１５〜２０ｃｍ程度が好ましい。又、板状部材４と台座５との接触部は動かないように相互に凹凸を形成している事が好ましい。又、板状部材４と台座５とを位置をずらして固定できるようにしても良い。又、把持部７は台座部５に形成されていれば位置は任意であるが、実施上は、概ね端部に形成されていれば好ましい。又、その場合、伸長方向も任意である。寸法に就いて云えば、幅は３〜４ｃｍ程度、長さは１０ｃｍ程度とする事が好ましいが他の形状でも構わない。又、把持部７の端部に脚部６を形成しても良い。このようにすると、更に安定性を増す事ができる。又、板状部材４に開けられた孔３の数及び形状は任意である。又板状部材４に台座５の把持部に重なるように把持部を形成しても良い。このようにするとの板上部材４だけで使用することもできる。【０００７】  図２は、本発明の一態様に係る野菜カッターの刃２の形態を示す斜視図ａとｂとｃとｄである。図２−ａは板状の刃２である。図２−ｂは山形の刃２である。図２−ｃは湾曲した形状の刃２である。図２−ｄは屈曲した形状の刃２である。実施上、本発明の野菜カッターは野菜を切る、削る又は擦ると言った諸作業に使用されるものなので、必要に応じた刃が形成されていて構わない。又、材質的には金属、セラミック、プラスチック及びその他刃の材料となるものであれば、そのいずれでも構わない。又方向も任意である。【０００８】  図３は、本発明の一態様に係る野菜カッターの構造を示す断面図ａとｂとｃである。図３−ａは台座５の下部に凹部８を横方向に伸長して形成し、容器１の縁を曲げ、相互に嵌合させるものである。このようにすると、容器１と台座５とが固定されるので切った物が外に飛散する事が防がれる。ここで云う台座下部とは台座５の下側方向を示すものであり、脚部６及び把持部７の下側も範囲に含むものである。又、同様に容器１と台座５とを嵌合させる方法として図３−ｂで示すように、台座５の下側に容器１の内側縁部に沿った凸部９を形成して、容器１の内側に嵌合しても良い。又、図３−ｃで示すように容器１の外側縁部を嵌合させても良い。実施上、凹部８及び凸部９は部分的に形成されていても構わない。【０００９】  図４は、本発明の他の態様に係る野菜カッターの把持部７の形態を示す斜視図である。図４に示す野菜カッターは把持部７が台座５から斜め下方に向かって伸長して形成されている。このようにすると野菜を動かした際、持ち手が邪魔にならず持ち易くなり、又、脚部６と同じ高さに形成すれば、脚部６としても使用できるので、台座５をテーブルなどの上に固定するのに便利である。実施上、図３に示す様に把持部７は手で握り易い幅、前記のように３〜４ｃｍ程度が好ましい。又、先端部は置いた際に安定するよう広げてあっても構わない。又、把持部７は真っ直ぐである必要はない。湾曲又は屈曲していても良い。又、前述の如く、把持部の先端に下方に伸びる脚部を形成しても良い。その際、脚部に回転軸を形成して、脚部を把持部側に折りたためるようにしても良い。【００１０】  図５は本発明の他の態様に係る野菜カッターの脚部６の形態を示す平面図ａとｂとｃであり、本図は脚部６を下側から見た図である。図５−ａに示す野菜カッターは脚部６が２本の棒状部材で形成されている。このようにすると、皿の縁を２本の脚部６に接触させ、沿わせて回転させることにより、刃２と脚部６の間隔が一定である事から皿の縁に沿って切った物を皿に盛ることができる。又、図５−ｂに示すように板状部材を湾曲させて脚部６を形成しても良い。このようにすると板状部材の両先端部の二箇所に皿の縁を接触させれば効果は前記と同様である。又、図５−ｃに示すように板状部材を屈曲させて脚部６を形成しても良い。これも前記と同様である。実施上、脚部間の寸法は８〜１０ｃｍ程度が好ましい。高さは前記と同様３ｃｍ以上ある事が好ましい。又、皿を回転させた時に滑る恐れが生じるので、皿の縁に脚部６が被った状態で接するように脚部６の端部を外側に開いて形成すると良い。【００１１】  上記において、本発明の野菜カッターの各部分の好ましい寸法に就いて言及したが、上記の説明に限定される事なく、形状、寸法、角度などは適宜経験的に決定する事ができる。又、材質に就いても同様、金属、セラミック、プラスチックなど、適宜経験的に決定できる。
【発明の効果】
【００１２】  本発明に係る野菜カッターによれば、容器を付けた場合には、切った野菜を容器に収納する事ができ、又、容器を外せば脚部を利用して刃の位置を安定させる事ができるため、皿やまな板の上で切る、削る、擦ることを容易にする事ができる。
【図面の簡単な説明】
【図１】  本発明の一態様に係る野菜カッターの形態を示す斜視図である。
【図２】  本発明の一態様に係る野菜カッターの刃の形態を示す斜視図ａ、ｂ、ｃ、ｄである。
【図３】  本発明の一態様に係る野菜カッターの構造を示す断面図ａ，ｂ，ｃである。
【図４】  本発明の他の態様に係る野菜カッターの把持部の形態を示す斜視図である。
【図５】  本発明の他の態様に係る野菜カッターの脚部の形態を示す平面ａ，ｂ，ｃである。
【符号の説明】
１  容器
２  刃
３  孔
４  板状部材
５  台座
６  脚部
７  把持部
８  凹部
９  凸部
【図１】
2005081539.tif 000003
【図２】
2005081539.tif 000004
【図３】
2005081539.tif 000005
【図４】
2005081539.tif 000006
【図５】
2005081539.tif 000007